(57)【要約】本発明は、機能が高められたイベントベースの映画鑑賞体験を提供できるという利点を有する。特に、本発明に係る一実施の形態を利用すると、コンサートなどのライブ演奏の録画ビデオを非常にリアルに再生することができ、また映画の観客が、受け身的な視聴者としてではなく参加者として行動し感じるよう促すことができる。映画館１００は、スクリーン１０５、映写室１１０、座席１２０、ダンスエリア、ＭＣ（進行係）ステーション１３０、変更可能なシーンデザイン、特殊効果機器、給食管理業務および／またはバー１３５を備えている。【特許請求の範囲】
【請求項１】
スクリーンを備える改良された映画館であって、
前記スクリーンに、ディジタルイメージシーケンスを映写するように構成されているディジタル映写機と、
前記スクリーンと前記ディジタル映写機との間に配置されている複数の座席と、
前記スクリーン側に配置されている少なくとも第１の支持構造物と、
該第１の支持構造物に取り付けられ、前記イメージシーケンスの映写中に、該イメージシーケンスと同期して動作し、ライブイベントの中に居る状況をシミュレートするように構成されている複数の特殊効果システムと、
前記スクリーンと前記複数の座席との間に配置され、人が踊りを踊るための開放空間を設けるように構成されている共同使用エリアとを備える改良された映画館。
【請求項２】
さらに、少なくとも前記第１の支持構造物から吊り下げられている移動可能なプロップスを備えている請求項１に記載の改良された映画館。
【請求項３】
さらに、前記スクリーンの背後に配置され、ライブコンサート会場の舞台裏をシミュレートするように構成されている舞台裏エリアを備えている請求項１に記載の改良された映画館。
【請求項４】
さらに、前記複数の座席に隣接する位置にある進行係ステーションを備えている請求項１に記載の改良された映画館。
【請求項５】
さらに、前記複数の座席に隣接する位置にあるラウンジを備えている請求項１に記載の改良された映画館。
【請求項６】
さらに、前記共同使用エリアに隣接する位置にあるバーを備えている請求項１に記載の改良された映画館。
【請求項７】
前記イメージシーケンスが、ライブコンサートのものである請求項１に記載の改良された映画館。
【請求項８】
前記イメージシーケンスが、記録されたコンサートのものである請求項１に記載の改良された映画館。
【請求項９】
前記イメージシーケンスが、スポーツイベントのものである請求項１に記載の改良された映画館。
【請求項１０】
前記特殊効果システムが、同期照明を備えている請求項１に記載の改良された映画館。
【請求項１１】
前記特殊効果システムが、同期霧発生装置を備えている請求項１に記載の改良された映画館。
【請求項１２】
前記複数の座席が、位置を変えられる適応型であり、複数の会場をシミュレートできる請求項１に記載の改良された映画館。
【請求項１３】
別のエンターテイメント会場をエミュレートするのに適応するように構成されたエンターテイメント会場であって、
スクリーンと、
イメージシーケンスを前記スクリーンに映写するように構成されている映写機と、
前記スクリーンの前に、再構成可能なように配置されている複数の座席と、
前記スクリーンに隣接して配置されている、少なくとも第１の支持構造物と、
該少なくとも第１の支持構造物に取り付けられ、前記イメージシーケンスの映写中に、該イメージシーケンスと同期して動作し、別のエンターテイメント会場のイベントに居る状況をシミュレートするように構成されている複数の特殊効果システムとを備えているエンターテイメント会場。
【請求項１４】
さらに、前記複数の座席に隣接する位置にある複数のシーン要素を備えている請求項１３に記載のエンターテイメント会場。
【請求項１５】
前記複数のシーン要素に、彫刻作品が含まれる請求項１４に記載のエンターテイメント会場。
【請求項１６】
前記複数のシーン要素に、像が含まれる請求項１４に記載のエンターテイメント会場。
【請求項１７】
前記複数のシーン要素に、マネキンが含まれる請求項１４に記載のエンターテイメント会場。
【請求項１８】
前記複数の特殊効果システムに、同期照明が含まれる請求項１３に記載のエンターテイメント会場。
【請求項１９】
前記複数の特殊効果システムに、同期霧発生装置が含まれる請求項１３に記載のエンターテイメント会場。
【請求項２０】
前記複数の特殊効果システムに、同期するプロップスが含まれる請求項１３に記載のエンターテイメント会場。
【請求項２１】
前記エンターテイメント会場が、ダンスクラブである請求項１３に記載のエンターテイメント会場。
【請求項２２】
前記別のエンターテイメント会場が、屋外コンサート会場である請求項１３に記載のエンターテイメント会場。
【請求項２３】
前記別のエンターテイメント会場が、スポーツアリーナである請求項１３に記載のエンターテイメント会場。
【請求項２４】
映画館を改良する方法であって、
トラスシステムを映画館の第１の壁に設けること、
前記トラスシステムに、電動式照明器具を取り付けること、
前記トラスシステムに、特殊効果デバイスを取り付けること、
前記映画館で上映するビデオシーケンスに対応するプロップスを、前記映画館内に配置すること、
前記電動式照明器具および前記特殊効果デバイスを、オーディオシーケンスに格納されているデータに同期させることを含む映画館を改良する方法。
【請求項２５】
さらに、前記映画館内に売り場を配置することを含む請求項２４に記載の映画館を改良する方法。
【請求項２６】
さらに、人々が踊るための開放空間を設けることができるように構成された共同使用エリアを、前記映画館内に配置することを含む請求項２４に記載の映画館を改良する方法。
【請求項２７】
さらに、前記映画館の後部セクションにディジタル映写機を配置し、前記映画館の前部セクションにスクリーンを配置することを含み、ディジタル映写機が、ビデオシーケンスを前記スクリーンに映写するように構成されている請求項２４に記載の映画館を改良する方法。
【請求項２８】
さらに、前記スクリーンの背後に、ライブコンサート会場の舞台裏をシミュレートするように構成された舞台裏エリアを配置することを含む請求項２７に記載の映画館を改良する方法。
【請求項２９】
さらに、前記映画館の前部セクションと後部セクションとの間に複数の座席を配置し、該複数の座席のそれぞれに、座席を振動させる座席揺動装置を設けることを含む請求項２７に記載の映画館を改良する方法。
【請求項３０】
前記特殊効果デバイスが、霧発生装置である請求項２４に記載の映画館を改良する方法。
【請求項３１】
ＤＭＸエンコーダであって、
該ＤＭＸデータを含むＤＭＸデータストリームを受信するように構成されているＤＭＸ入力ポートと、
前記ＤＭＸデータストリームを、ＴＴＬレベルにシフトするように構成されているレベルシフタと、
前記ＤＭＸデータストリームを、複数のパケットにフォーマットするように構成されているユニバーサル非同期受信器および送信器と、
前記複数のパケットを、ＡＥＳディジタルオーディオストリームに挿入して、前記ＤＭＸデータを搬送する、符号化されたデータストリームを出力するように構成されているディジタルシグナルプロセッサと、
前記符号化されたデータストリームを、不平衡ＡＥＳディジタルオーディオストリームにシフトするように構成されているＡＥＳフォーマッタと、
前記不平衡ＡＥＳディジタルオーディオストリームを、平衡ＡＥＳディジタルオーディオストリームに変換するように構成されているトランスフォーマとを備えているＤＭＸエンコーダ。
【請求項３２】
ＤＭＸデータストリームを、平衡ＡＥＳディジタルオーディオストリームに符号化する方法であって、
ＤＭＸデータを含むＤＭＸデータストリームを受信するステップと、
該ＤＭＸデータストリームをＴＴＬレベルにシフトするステップと、
前記ＤＭＸデータストリームを複数のパケットにフォーマットするステップと、
前記複数のパケットを前記ＡＥＳディジタルオーディオストリームに挿入して、前記ＤＭＸデータを搬送する符号化されたデータストリームを出力するステップと、
該符号化されたデータストリームを、不平衡ＡＥＳディジタルオーディオストリームにシフトするステップと、
該不平衡ＡＥＳディジタルオーディオストリームを、前記平衡ＡＥＳディジタルオーディオストリームに変換するステップとを含む符号化方法。
【請求項３３】
ＤＭＸデコーダであって、
巡回冗長検査コード値およびＤＭＸデータを含むＡＥＳディジタルオーディオストリームを受信するように構成されているＡＥＳフォーマッタと、
前記ＡＥＳディジタルオーディオストリームを受信し、前記巡回冗長検査コード値が有効か否かを判定し、該巡回冗長検査コード値が有効であれば、前記ＡＥＳディジタルオーディオストリームから前記ＤＭＸデータを抽出し、前記巡回冗長検査コード値が有効でなければ、格納されている前記ＤＭＸデータを取り出すように構成されているディジタルシグナルプロセッサと、
前記ＤＭＸデータを受信するように構成されているユニバーサル非同期受信器および送信器と、
前記ＤＭＸデータを、ＤＭＸ出力レベルにシフトするように構成されているレベルシフタとを備えているＤＭＸデコーダ。
【請求項３４】
ＡＥＳディジタルオーディオストリームをＤＭＸデータストリームに復号化する方法であって、
巡回冗長検査コード値およびＤＭＸデータを含む前記ＡＥＳディジタルオーディオストリームを受信するステップと、
前記ＡＥＳディジタルオーディオストリームをディジタルシグナルプロセッサに送信するステップと、
前記巡回冗長検査コード値が有効か否かを判定するステップと、
前記巡回冗長検査コード値が有効であれば、前記ＡＥＳディジタルオーディオストリームから前記ＤＭＸデータを抽出し、
前記巡回冗長検査コード値が有効でなければ、前記ディジタルシグナルプロセッサから、格納されている前記ＤＭＸデータを取り出すステップと、
前記ＤＭＸデータを、ユニバーサル非同期受信器および送信器に送信するステップとと、
前記ＤＭＸデータをフォーマットするステップと、
前記ＤＭＸデータをＤＭＸ出力レベルにシフトするステップとを含む復号化方法。
【請求項３５】
分配システムであって、
暗号化されたディジタルデータストリームを受信するように構成されているサーバと、
前記暗号化されたディジタルデータストリームを解読して、前記ディジタルデータストリームを出力するように構成されている解読モジュールと、
前記ディジタルデータストリームを解析して、前記ディジタルオーディオストリームと前記ディジタルビデオストリームとに分け、前記ディジタルビデオストリームを、ディジタルビデオ映写機に送るように構成されているデコーダと、
前記ディジタルオーディオストリームの第１の部分を受信して、前記ディジタルオーディオストリームの第１の部分を、アナログオーディオに変換するように構成されているディジタル−アナログコンバータと、
前記ディジタルオーディオストリームの第２の部分を受信し、前記ディジタルオーディオストリームの第２の部分からＤＭＸコードを抽出し、該ＤＭＸコードを機器に送信するように構成されているデコーダとを含む分配システム。
【発明の詳細な説明】
【技術分野】
【０００１】
本発明は、娯楽施設に関し、特に、映画館、クラブおよび複合型施設に関する。
【背景技術】
【０００２】
映画は人気のある娯楽形態であるが、ＶＣＲプレイヤ、ＤＶＤプレイヤおよびケーブルによるペイパービューを使用した家庭での映画鑑賞、さらにスポーツイベント、コンサートおよびコンピュータゲームなど競合する娯楽形態が、顧客を魅了し、映画館から顧客を引き離している。
【０００３】
映画館に訪れる人が楽しく過ごせるようにすることにより、映画館入場者数を増やす試みがなされてきた。例えば、多くの映画館では、現在、客は前売り券を購入し、映画館で並んで待つのを避け、また映画館に来てはみたがすでに満席だったというような可能性をなくすことができる。良好な視線が得られるように、スタジアムの座席が映画館に取り込まれている。さらに、映画館のサウンドシステムが改良され、よりリアルな音を再生できるようになっている。しかし、このような映画鑑賞体験を増やそうとする試みにもかかわらず、映画館で映画を見る客の数は不十分である。したがって、多くの映画館が十分利用されているとはいえず、その結果、映画館チェーン所有者の財政面の困窮が生じている。
【０００４】
さらに、従来の映画館は、ある種のエンターテイメントコンテンツを視聴するのに十分刺激的な環境を提供することができなかった。例えば、コンサート映画が売上げで十分な成功を収めていないことが多い理由の１つは、映画館のコンサート映画の受け身的な鑑賞では、生のライブ演奏の刺激と直接性に近づけないという点にある。
【発明の開示】
【発明が解決しようとする課題】
【０００５】
したがって、映画館により多くの客を引きつけ、それにより、映画館の利用を増やし、客の喜びを高めるエンターテイメントが求められている。
【課題を解決するための手段】
【０００６】
本発明は、統合された適応可能な映画館ホールを利用して、刺激的で、リアルなイベントベースの映画鑑賞体験を提供することができるので好都合である。真っ暗な映画館の中で、静かに席に座って、従来の映画を受動的に鑑賞するように設計されている従来の映画館とは対照的に、本発明による新しい映画館では、観客はライブのダイナミックなイベントへの参加者であるかのように感じられる。単に従来型の映画を上映するのではなく、本発明による映画館を利用して、映画館で使用することを目的とするビデオを上映し全面的に活用して、ライブイベントをシミュレートまたは再生して、通常のライブイベントでは得られないさらなる体験と特徴を実現することができる。任意選択で、本発明による映画館の利用を、このようなビデオの上映専用とすることができる。
【０００７】
本発明による映画館の一実施の形態は、従来型の映画館の要素に加えて、ダンスエリア、モッシュピット、販売エリア、進行係ステーション、カクテルラウンジ、バーおよび／または食事エリアのうち１つまたは複数を含む。さらに、スクリーンの前にパフォーマンスエリアを設けて、エンターテイナがオンスクリーンプレゼンテーションの前、最中および後にパフォーマンスを行うようにすることができる。
【０００８】
映画館は、舞台デザインの構成を変更し、ホールのインテリアが映画館のインテリアのように見えないようにすることができる。一実施の形態では、舞台装置、背景幕、プロップス、照明、スピーカ、映写機などをサポートし、１つまたは複数の壁または天井および電動式位置決め装置に結合できる支持システムを利用し、動かしながら位置を決定することができる。舞台デザインは、上映される媒体コンテンツのテーマに合わせることができる。
【０００９】
イベントをさらにリアルに見せるために、上映内容に合わせた特殊効果を任意選択で用意することができる。特殊効果には、例えば、レーザ、煙発生器、香り発生器、霧発生器、降雨装置、降雪装置などを含めることができる。
【００１０】
映画鑑賞をより楽しんでもらうため、指定席を設け、観客がよい席を取るため早く来なければならないとか、一緒の席を取れなかったらどうしようといった心配を解消する。さらに、一般的にはライブイベントの特権を任意選択で与えることもできる。例えば、映画館の座席に着いている間に、観客はサービスマンに食べ物、飲み物、現在の上映作品に関係する記念品を注文できる。サービスマンは、注文された食物およびその他の品を客のところに持ってくる。別法として、電子端末を各座席に用意しておき、観客はその端末に表示されるメニューから食べ物またはその他の品を注文することができる。
【００１１】
映画館をネットワークでディジタルビデオ分配システムに接続し、ディジタル方式でビデオを映画館に送信し、ディジタルビデオ映写システムを使用して映写することができる。任意選択で、映写システムは、１２８０×１０２４ピクセルを超える解像度の高解像度システムとすることができるが、他の解像度も使用できる。さらに、映画館はサラウンドサウンドシステムを備え、映画館で上映される作品の臨場感を高めることもできる。映画館の各座席に、またはプレミアム席に座席振動装置を設置し、低周波サウンドの効果を高め、上映作品の一部として他の動きをシミュレートすることも可能である。
【００１２】
一実施の形態では、ディジタルイメージシーケンスをスクリーンに投影するように構成されているディジタル映写機と、スクリーンとディジタル映写機との間に配置された複数の座席と、複数の座席の上に配置された少なくとも第１の支持構造と、第１の支持構造に接続され、イメージシーケンスの投影中に動作し、イメージシーケンスと同期してライブイベントのところに居る状況をシミュレートするように構成された複数の特殊効果システムと、スクリーンと複数の座席との間に配置され、人々が踊れるような開放空間を設ける構成の共同使用エリアを備えるスクリーンを装備する改良が加えられた映画館を提示している。
【００１３】
一実施の形態では、スクリーンと、イメージシーケンスをスクリーンに投影するように構成されている映写機と、スクリーンの前に配置され再構成できる複数の座席と、複数の座席よりも高い位置にある少なくとも第１の支持構造と、少なくとも第１の支持構造に接続され、イメージシーケンスの投影中に動作し、イメージシーケンスと同期して異なるエンターテイメント会場のイベントのところに居る状況をシミュレートするように構成された複数の特殊効果システムを備える、他のエンターテイメント会場をシミュレートする適応型の構成のエンターテイメント会場を提示している。
【００１４】
一実施の形態では、トラスシステムを映画館の第１の壁に結合すること、電動式照明器具をトラスシステムに結合すること、特殊効果装置をトラスシステムに結合すること、プロップスを映画館内に配置すること、プロップスが映画館で上映するビデオシーケンスに対応すること、電動式照明器具および特殊効果装置を、ビデオシーケンスに格納されているデータと同期させることを含む映画館を改良する方法を提示している。
【００１５】
一実施の形態では、暗号化されたディジタルデータストリームを受信するように構成されたサーバと、暗号化されているディジタルデータストリームを解読して、ディジタルデータストリームを生成するように構成されている解読モジュールと、ディジタルデータストリームを解析してディジタルオーディオストリームとディジタルビデオストリームにし、ディジタルビデオストリームをディジタルビデオ映写機に送信するように構成されているデコーダとを備える分配システムを提示している。分配システムは、さらに、ディジタルオーディオストリームの第１の部分を受信し、ディジタルオーディオストリームの第１の部分をアナログオーディオに変換するように構成されているディジタル−アナログコンバータと、ディジタルオーディオストリームの第２の部分を受信し、ディジタルオーディオストリームの第２の部分からＤＭＸコードを抽出して、ＤＭＸコードを装置に送信するように構成されているデコーダとを備えることができる。
【００１６】
一実施の形態では、ＤＭＸデータを含むＤＭＸデータストリームを受信するように構成されたＤＭＸ入力ポート、ＤＭＸデータストリームをＴＴＬレベルにシフトするように構成されているレベルシフタ、ＤＭＸデータストリームの書式を設定して複数のパケットに送信するように構成されたユニバーサル非同期受信機および送信機を備えるＤＭＸエンコーダを提示している。ＤＭＸエンコーダは、さらに、複数のパケットをＡＥＳディジタルオーディオストリーム内に挿入して、ＤＭＸデータを搬送する符号化されたデータストリームを出力するように構成されたディジタルシグナルプロセッサ、符号化されたデータストリームを、不平衡ＡＥＳディジタルオーディオストリームにシフトするように構成されたＡＥＳフォーマッタ、不平衡ＡＥＳディジタルオーディオストリームを、平衡ＡＥＳディジタルオーディオストリームに変換するように構成されたトランスフォーマを備えている。
【００１７】
一実施の形態では、巡回冗長検査コードおよびＤＭＸデータを含むＡＥＳディジタルオーディオストリームを受信するように構成されたＡＥＳフォーマッタ、およびＡＥＳディジタルオーディオストリームを受信し、巡回冗長検査コードが有効か否かを判別し、循環冗長検査コードが有効である場合にＡＥＳディジタルオーディオストリームからＤＭＸデータを抽出し、巡回冗長検査コードが有効でない場合に、格納されているＤＭＸデータを取り出すように構成されているディジタルシグナルプロセッサを備えるＤＭＸデコーダを提示する。ＤＭＸデコーダはさらに、ＤＭＸデータを受信するように構成されたユニバーサル非同期受信器と送信器、およびＤＭＸデータをＤＭＸ出力レベルにシフトするように構成されているレベルシフタを備える。
【発明を実施するための最良の形態】
【００１８】
本発明に係る好ましい実施の形態を、以下に図面を参照して説明する。
【００１９】
本発明は一般にエンターテイメントの分野に適用することができる。しかし、分かりやすくするため、以下の説明は、映画館、クラブまたはその他のエンターテイメント会場に関するものとしている。本発明を完全に理解できるように、詳細な説明の残り部分では図面を参照しながら本発明を説明するが、類似の要素に対する符号は、全体を通して類似の符号を使用して参照する。
【００２０】
本発明は、向上したイベントベースの映画鑑賞体験を提供できるという利点を持つ。以下で詳しく説明するように、本発明に係る一実施の形態を利用すると、音楽コンサートなどのライブ演奏のライブおよび／または録画されたビデオの非常にリアルな再生を行うことができる。また、映画の観客に、受け身的な視聴者としてではなく、参加者として行動し感じるよう促すことができる。
【００２１】
さらに、本発明に従って構成された映画館では、観客は、ローカル映画館の快適さと安全性の中で、映画の各場面の背後を含めてリアルで刺激的な事前に収録されたコンサートを体験することができる。本発明では、ライブイベントの複数の要素と映画館、クラブ、またはその他のエンターテイメント会場の要素とを組み合わせている。都合のよいことに、コンサートの上映に加えて、映画館は、事前に収録された記録またはリモートライブによるスポーツイベント、ビジネスプレゼンテーション、教育セミナー、ブロードウェイショー、演劇、オペラ、宗教的行事、文化的行事などを催す場合に使用することができる。さらに、戴冠式、ロイヤルウェディング、除幕式、国葬などの国家的行事または歴史的行事を遠隔地の劇場で上演し、このような重要な行事に遠隔地で参加するためのグループセッティングを行うようにすることができる。こうした行事は、世界中に放送することができる。
【００２２】
図１は、本発明の一実施の形態に係る映画館、クラブまたはホール１００を示す透視図である。映画館１００は、スクリーン１０５、映写窓１１２および映写機１１５を備える映写室１１０、必要に応じて可倒式または再構成可能な座席１２０、共同使用エリア１２５、ＭＣ（進行係）ステーション１３０およびカクテルラウンジおよび／またはバー１３５を備えている。もちろん、別の実施の形態では、これらの映画館の要素すべてを含める必要はなく、バー１３５またはＭＣステーション１３０などの一部の要素は取り除くこともできる。
【００２３】
映写機１１５は、映写室１１０内に配置され、映写窓１１２を通してスクリーン１０５にビデオを映写することができる位置に置かれる。必要に応じて、映画館１００の形状およびサイズの再構成に対応して、映写機１１５を簡単に移動できるように映写機１１５、またはその一部を移動可能なプラットフォーム上に取り付けることができる。映写機１１５は、ディジタルビデオプロジェクタ、映写機または従来のビデオ投影システムでよい。例えば、ディジタルビデオプロジェクタ１１５では、ダイレクトドライブ式イメージ照明増幅、電子信号が直接液晶に向けられる反射型液晶実装物を使用することができる。
【００２４】
別の実施の形態では、ディジタルビデオプロジェクタ１１５は、ディジタルマイクロミラーデバイスを使用して実装することができる。さらに別の実施の形態では、ディジタルビデオプロジェクタの光源がレーザである。ディジタルビデオプロジェクタ１１５は、１２フィートランベルトオンスクリーンの映画テレビ技術者協会（ＳＭＰＴＥ）フィルム規格を満たす、少なくとも十分な輝度を持つことが好ましい。ただし、他の輝度レベルも使用することができる。任意選択で、映写システムは、１２８０×１０２４ピクセルまたはそれ以上の解像度の高解像度システムとすることができる。
【００２５】
一実施の形態では、座席１２０は、平行な列で配列することができる。さらに、演奏ステージ（図に示されていない）をスクリーン１０５の前に配置するようにしてもよい。このステージは、共同使用エリア１２５と入れ替えること、またはスクリーン１０５と共同使用エリア１２５との間に配置することが可能であり、共同使用エリア１２５と一体化して設定することができる。このステージを使用することにより、上映される作品における人間の存在感をさらに高めるために、上映されるショーの前、最中、後に演技する、ダンサーなどのライブエンターテイナのためのパフォーマンスエリアを用意することができる。
【００２６】
共同使用エリア１２５（モッシュピットとも呼ぶ）とは、コンサートが上演されるか、または映画が上映されるスクリーン１０５の直前にある画定されたエリアのことで、ここに人々が集まり、音楽に合わせて踊り、パフォーマンスに興奮を加えることができる。必要に応じて、共同使用エリア１２５は、座席１２０の最後列の背後にある映画館１００の後ろ側に配置することができる。共同使用エリア１２５は、さらに、複数の電話またはテレビ用のジャックを備えることもできる。電話ジャックを使用することで、インターネットに接続したり、またはボクシング、競馬、バスケットボール、フットボールゲームなどのイベントに賭けを行うための電話をすることができる。
【００２７】
さらに、映画館１００は、テーブル１４５および椅子１５０を備える食事エリア１４０を用意してもよい。そこでは、食事をする人が、ビデオ、録画または遠隔地で催されているコンサート、録画された演劇などを鑑賞しながら食事を楽しむことができる。映画館１００では、座席１２０の一部または全部を、さらに、テーブル１４５および椅子１５０で置き換えて、食事しながら鑑賞する場としての特質を高めることができる。
【００２８】
映画館１００には、さらに、客が食べ物、アルコールおよび／またはノンアルコール飲料、シャツ、ジャケット、帽子、お土産、または上演されているショーに関係するノベルティを注文し、商品を自分の座席１２０に送り届けてもらえるような場内売り場が設けられている。端末を各座席１２０に用意しておき、観客はその端末に表示されるメニューから食べ物またはその他の品を注文することができるようにしてもよい。端末は、磁気カード読取装置を備え、客はこれを利用して、注文した商品の対価を支払うことができる。端末を各座席１２０のアームレストまたは各座席１２０の背面に取り付け、ネットワークで映画館の厨房の端末に接続し、その端末に客の注文を表示することができる。別法として端末を、中央サーバに接続されている観客応答システムとして使用することもできる。
【００２９】
エンターテイメント体験をより楽しいものにし、ストレスを減らすために、客が映画館１００内で指定席を予約することができるようにしてもよい。その場合には、客は良い席を取るために、または仲間と一緒の席を確保するために、早く来る必要がなくなる。必要に応じて、客がプレミアム料金を支払って、指定席を予約できるようにしてもよい。
【００３０】
一実施の形態では、客は、指定席を取った場合、「タブ（勘定書）」に注文した食べ物を記録することができる。指定された上映に関して、座席は客のクレジットカードに関連付けられ、そのタブによってクレジットカードに請求される。さらに、客は、指定席を取っている場合、ショーに到着する前に、電話、郵便またはインターネットで食べ物やその他の商品をあらかじめ注文しておくことができる。客は、さらに、映画の開始後どのぐらいたってから食べ物を客のところへ持ってくるかを指定することができる。客が映画館１００に到着すると、客の指示に従って食べ物またはその他の商品が、その客のところへ届けられる。引き込み式の食事用トレイを客の座席アームレスト内に格納するか、または客の前にある座席からトレイを下げることができるようにすると、より便利である。
【００３１】
上映するオンスクリーンプレゼンテーションと連携させることができる。例えば、上映作品の中の登場人物に似た作品に関係するロゴが付いている、またはスポンサーのロゴが付いている販促商品をただで配ることもできる。販促商品は、観客全員に、または先着順に所定の人数分だけ、またはランダムに配ることもできる。さらに、頭上のグリッドからつり下げられているネットから、画面に現れるイベントに合わせて、頃合いを見計らって販促商品を落とすこともできる。
【００３２】
図２は、本発明の別の実施の形態に係る映画館、クラブまたはホール２００を示す透視図である。映画館１００は、舞台デザインおよび他のデバイスの構成を変更することにより、映画館のインテリアが従来の映画館のように見えないように構成されている。映画館２００は、映画館１００について説明した要素のうちの１つまたは複数を含むことができる。
【００３３】
映画館２００は、さらに、舞台要素２０５、プロップス２１０、特殊効果装置２１５、特殊効果照明２２０、スピーカ２２５、および映画館２００内で支えられ配置されているものを含むことができる。イベントのリアルさを高めるために、映画館２００を、映画館２００のパフォーマンスの種類、例えば、上映されているビデオコンテンツに基づいて判別され、客が映画館２００内の座席についているという事実を隠す一意的な舞台要素２０５で再構成することができる。例えば、屋外コンサートのビデオコンテンツを上映する場合、木々、野原、雲、有名な屋外スタジアム、群衆、または舞台要素２０５として使用できるもので描かれている風景の背景を含む戸外風景を舞台要素２０５として使用することができる。  同様に、ロックコンサートの録画ビデオを映画館２００で上映する場合、舞台要素２０５に、バナー（垂れ幕）およびグループのメンバーの画像を入れることができる。舞台要素２０５は、地面で支え、屋根で支え、かつ／または壁で支えることができる（図２に示されているように）。演劇のビデオを上映する場合には、織物の上にペイントされた装飾「壁」を屋根の支えから下げることができる。壁は、有名な映画館の壁に似せて塗装することも、またオリジナルデザインとすることもできる。礼拝が上映される場合、教会、ユダヤ教会堂、寺院、イスラム教寺院に対応する背景およびプロップス２１０を適宜使用することができる。
【００３４】
さらに、彫刻、像またはマネキンを、舞台要素２０５またはプロップス２１０として使用し、共同使用エリア１２５内またはその周辺に配置することができる。例えば、自動車、飛行機、木々、支柱やアーチなどの建築要素といったものを、舞台要素２０５またはプロップス２１０として使用することができる。同様に、食事エリア１４０および共同使用エリア１２５は、ココナッツの木などの適切な舞台装置を備えた構成とし、歴史的に有名なＣｏｃｏｎｕｔ  Ｇｒｏｖｅナイトクラブや他のナイトクラブに似せることもできる。
【００３５】
特殊効果装置２１５は、例えば、客にミストをかけるように配置した霧、ミストまたは雨発生装置を備え、また特殊効果照明２２０は、例えば、座席１２０またはその他の場所に向かって投射されるレーザ、ストロボ光線、またはさまざまな色の光を含むこともできる。スピーカ２２５を頭上に配置したり、客の前にある座席１２０に取り付けることができる。さらに、トラスにより、張り出し舞台、ライトブリッジおよび制御用プラットフォームを支えることができ、制御用プラットフォームにより、サウンド、照明および保護装置を制御することができる。サウンド、照明、映写、および／または昇降機器をコンピュータで制御し、機器の管理を自動化することができるようにしてもよい。代わりに、上記の要素の一部または全部を、１つまたは複数の壁に実質的に平行に配置されているフレームに取り付けることができる。
【００３６】
映画鑑賞体験をさらに向上させ、イベントの現実感を増すために、特殊効果装置２１５を追加装備する。例えば、香り発生装置を装備し、この香り装置を使い、屋外の感じを出すために、干し草や果樹の匂いに似た化合物などの香り化合物を含むミストなどをまき散らす。さらに、香り発生装置を、ビデオまたはオーディオトラックと組み合わせることもできる。例えば、ビデオシーケンスの中で花火が打ち上げられた場合、その時にそれに対応する焼けた火薬の匂いを香り発生装置により発生させることができる。さらに、「雪」製造装置を備えることもできる。例えば、客がスキーの滑降シーンを見ている場合、適切な時に一陣の吹き散らされた雪を発生させることができる。
【００３７】
さらに、特殊効果照明２２０は、コンピュータ制御のインテリジェント型照明とすることができ、コンサート映像のオーディオまたはビデオトラックと組み合わせることができる。例えば、オンスクリーンの花火の打ち上げに合わせて強い光のバーストを放射し、花火打ち上げによって放射される光をシミュレートすることができる。特殊効果照明２２０の動きおよび操作は、コード、例えば、ＤＭＸデータによって制御される。別の実施の形態では、オンスクリーンでストロボパルス発生させる場合、オンスクリーンストロボ光と同じ振動数で脈動するように、映画館２００内のストロボ光を設定することができる。さらに別の実施の形態では、オンスクリーンの運動競技を上映しているときに、光、ストロボ、音楽およびサウンド効果を、時間によるパルス変化などにより、運動選手の呼吸、心拍、足音のオーディオトラック再生に合わせることができる。レーザ光を、ビデオシーケンスのレーザに似たパターンのスキャンまたはパルスに合わせることができる。煙発生装置をオーディオまたはビデオトラックに連動させ、これを使用してロックコンサートの感じを出すこともできる。さらに、小さな爆竹を使って、花火の音と臭いをシミュレートすることができる。
【００３８】
スピーカ２２５は、上映されているイベントのオーディオ部分を、より正確かつリアルに再現するため、少なくとも左前、右前、中央、左サラウンド、右サラウンドおよび／または背後サラウンドのチャネルを備えるサラウンドサウンドシステムとして構成することができる。例えば、映画館２００は、６トラック以上のディスクリートディジタルまたはアナログオーディオまたはＤｉｇｉｔａｌ  Ｔｈｅａｔｅｒ  Ｓｙｓｔｅｍｓ（ＤＴＳ（登録商標））、Ｄｏｌｂｙ  Ｄｉｇｉｔａｌ（登録商標）システム、またはＳｏｎｙ  Ｄｙｎａｍｉｃ  Ｄｉｇｉｔａｌ  Ｓｏｕｎｄ（登録商標）（ＳＤＤＳ）システムのうち１つまたは複数を備えることができる。さらに、シアターサウンドシステムおよび物理的特性は、ＴＨＸ（登録商標）ガイドラインおよび規格と互換性のあるものとすることができる。スピーカ２２５は、グリッドからつり下げる形のものとし、様々なイベントおよび異なる映画館規模および形状構成に対応して、必要に応じて移動させられるようにするのがよい。サウンドシステムに結合されている座席振動装置を使用して、観客がサウンドを「感じる」ことができるようにしてもよい。
【００３９】
図３は、本発明の別の実施の形態に係る映画館、クラブまたはホール３００の透視図である。映画館３００は、本明細書で説明している要素の一部または全部を含むように特注品とするか、または映画館３００は、本明細書で説明している要素の一部または全部を含むように、改良または改装された標準的な映画館である。映画館３００は、１つまたは複数のスクリーン３１０が１つまたは複数の壁３０５に取り付けられている４つの壁３０５を備えることができる。１つのスクリーン３１０を映画館３００の前に配置し、他方のスクリーン３１０を、観客がスクリーン３１０の２つ、３つまたは４つの側面に囲まれるように配置し、それにより上映作品により没頭する感じを与えることができる。
【００４０】
映画館３００は、前面のスクリーン３１０の直前に位置する床部３１５を備えることができる。床部３１５は、平坦で、踊り用の安定したプラットフォーム、移動可能な椅子、および／または食事用のテーブルを用意できるサイズとする。床部３１５の平坦部分の後部は、前方視界が良好となるように座席３２５が配置されている傾斜セクション３２０である。傾斜セクション３２０の代わりに、または傾斜セクション３２０のさらに後方で、床部３１５は、ステップ３３０を備えるスタジアム座席としてもよい。スタジアム座席とは、隣接するステップ３３０同士間の高さの差を十分に取り、上の列、たとえば５番目の列に座っている人が下の列、例えば４番目の列に座っている人の頭越しに十分な視界を確保できる座席である。ステップ３３０は、従来の映画館のように固定することができ、また平坦な床で取り外し可能なプラットフォームまたは可倒式座席３３５を使用して構成することができる。取り外し可能なプラットフォームまたは可倒式座席３３５を使用すると、さまざまな種類の「イベント」に合わせて、映画館３００を素速く再構成することができる。
【００４１】
したがって、例えば、上映しているビデオがディスコミュージックを演奏しているバンドのものであり、予想される観客のほとんどが踊る可能性がある場合、プラットフォームまたは可倒式座席３３５の一部または全部を取り外してダンスフロア３４０を作るか、または拡張することができる。さまざまな構成において、座席エリアは２００人から４５０人を収容する。他の構成では、座席エリアの収容力を大きくすることも小さくすることもできる。図の例では、傾斜通路３４５が映画館３００の後部に向かって設けられているが、他の種類の通路も使用することができる。
【００４２】
映画館３００の適応能力をさらに高めるために、映画館の規模および形状を必要に合わせて調整することができるようにしてもよい。トランスから、舞台背景の形で配置できる取り外し可能な仕切りを吊り下げることにより、映画館の規模および形状を変わったものに構成し直すことができる。例えば、上映するビデオが室内管弦楽団またはジャズトリオのものであれば、相対的に小さく親密さを高めた映画館空間を設けることが望ましい。このようなアプリケーションでは、映画館の仕切りを内側へ移動して小さな空間を形成することが好ましい。それとは対照的に、大きな屋外コンサートを上演する場合、映画館空間を大きくすることが望ましく、それに応じて仕切りを移動するのがよい。
【００４３】
別の実施の形態では、上述のように仕切りを下げるのとは反対に、映画館３００の無負荷耐力壁の１つまたは複数を移動可能および／または取り外し可能とし、サイズを調整できるようにしてもよい。マルチシアターコンプレックス（以下「マルチプレックス」と呼ぶ）では、壁を移動または取り外して、大きくしたり別の形状の空間にすることにより、１つまたは複数の映画館３００の全部または一部を１つにまとめることができる。別法として、一方の映画館３００を本明細書で説明しているエンターテイメント体験を高めることに特化し、他方のマルチプレックス映画館を従来の映画館として利用することができる。
【００４４】
観客が面白いリアルな体験をできるように、映画館３００のベスティビュールを、上映されている映画のイベントまたは題材に対応する、ロックコンサート、オペラハウス、プレイハウスなどの会場の舞台裏に見えるように構成することができる。例えば、ベスティビュールは、「上演者」の「グリーンルーム」、メークアップエリアおよびドレッシングルームを備えることが好ましい。ドレッシングルームは、上演されるコンサート映画の中で演じるロックスターに対応するギター、「個人的な」写真などで飾ることができる。ロックバンドのメンバーであるかのようなふりをする役者は、さらにこの経験を高めることができる。
【００４５】
舞台裏で、無料スナックのサービスを行うこともできる。したがって、観客のメンバーが到着すると、「舞台裏」であるという興奮した状況で迎えられる。ベスティビュールを、映画館の後ろ、前のスクリーンの背後または映画館の側面に沿って配置することができる。別の実施の形態では、「舞台裏」エリアを、映画館３００の主要部分内のスクリーンの前に配置する。メインのオンスクリーンプレゼンテーションが始まる前に、オンスクリーンエンターテイナのバックを映す舞台裏オンスクリーンプレゼンテーションを上映し、舞台裏の感じをエミュレートすることができる。メインの作品を上映する時刻になった時に、オンスクリーンプレゼンテーションを１８０度「フリップ」して、エンターテイナの正面を観客に見せ、今度は映画館観客が「観客」であることを示す。
【００４６】
図４は、本発明の一実施の形態に係るディジタルコンテンツを配布するために使用する配布システム４００を示すブロック図である。ライブイベントまたはパフォーマンスのアナログまたはディジタル記録は、通常、アナログまたはディジタルテープ、ディジタルメモリチップまたはカード、またはディジタルビデオディスケット（ＤＶＤ）などのストレージデバイスに格納される。一実施の形態では、イベントのオーディオは、第１のストレージデバイスに格納され、イベントのビデオは第２のストレージデバイスに格納される。テープまたはＤＶＤプレイヤ４０５を使用して、テープまたはＤＶＤを再生することができる。ライブイベントが映画化された時に、コンテンツを、ブロードバンド接続４１０、例えば、ＤＳＬ、Ｔ−１またはＴ−３ラインを介して送信するか、または衛星アンテナ４１５を介して、受信機／復調器４２０に送信することができるようにしてもよい。
【００４７】
コンテンツは、通常、知られている暗号化方法を使用して暗号化される。暗号化されたディジタルデータストリームは、ストレージサーバ４２５に格納され、解読モジュール４３０に送られる。暗号化されたディジタルデータストリームは、通常、知られている解読方法、例えば、条件付きアクセス解読方法を使用して解読される。その後、ディジタルデータストリームはデコーダ４３５に送られる。デコーダ４３５では、ディジタルデータストリームを解析して、ディジタルオーディオストリームとディジタルビデオストリームに分ける。ディジタルビデオストリームは、特定の形式、例えば、２９２Ｍビデオ形式でディジタルビデオ映写機１１５に送られ、ディジタルビデオストリームがスクリーン１０５に投影される。ディジタルビデオストリームは、１つまたは複数の映写室１１０に配置されている、１つまたは複数の映写機１１５を使用して映写することができる。所定のイベントについて、コンテンツには同じイベントの複数のビューを含めることができる。複数のビューを映画館１００内の複数のスクリーンに映写し、それにより、そのイベントのエキサイティングで臨場感のある上映を行うことができる。
【００４８】
ディジタルオーディオストリームをさらに解析し、４つまたはそれ以上のディジタルオーディオのＡＥＳペアに分ける。例えば、第１の３つのＡＥＳペア、トラック１〜６がＤ／Ａコンバータ４４０に送られ、第４のＡＥＳペア、トラック７〜８がＡＥＳ／ＤＭＸデコーダ５００ｂに送られる。Ｄ／Ａコンバータ４４０は、ディジタルオーディオストリームをアナログオーディオの６つまたはそれ以上のチャンネルに変換して、システムイコライザ４４５に送り、アナログオーディオをイコライズする。システムイコライザ４４５から、それぞれのチャネルを増幅器に接続し、その後スピーカ２２５に接続する。
【００４９】
ＡＥＳ／ＤＭＸデコーダ５００ｂは、ＡＥＳディジタルオーディオストリームとも呼ばれる、ディジタルオーディオの第４または別のＡＥＳペアを取り、ＡＥＳディジタルオーディオストリームからＤＭＸデータを抽出し、ＤＭＸ出力ポート（後述）を介してＤＭＸデータを機器４５０に送る。ＡＥＳディジタルオーディオストリームには、媒体コンテンツのプレゼンテーションと照明、特殊効果、シーン切り換えなどと自動的に調整するために使用されるＤＭＸ同期コードが埋め込まれている。したがって、例えば、ディジタルビデオストリームとディジタルオーディオストリームの同期を取り、劇場効果用の機器４５０、例えば、舞台要素２０５、プロップス２１０、特殊効果装置２１５、特殊効果照明２２０、スピーカ２２５などを制御することができる。適切なＤＭＸコードを受信すると、ＡＥＳ／ＤＭＸデコーダ５００ｂは、ＤＭＸコードを機器４５０に送り、コマンドで指示された通り実行する。
【００５０】
プロジェクタが標準の映写機１１５である場合、フィルムまたはフィルムと同期する磁気テープに取り付けられたキューテープを使用して、フィルムおよび劇場効果用の機器４５０を自動的に調整することができる。キューテープは、一般に、フィルムの特定の位置のエッジに固定されている金属製の短い帯である。適切な時に、フィルムが映写機１１５内の２つの電気的接点を通り、キューテープはそれらの接点の間で回路を完成する。完成した回路は、コマンドをトリガして機器４５０に送り、指定された命令を実行させる。
【００５１】
オンスクリーンプレゼンテーションの現実感を高めるために、オープニングシーケンス中に、またはプレゼンテーションの終わりに、ビデオにプレビュー、クレジットまたはタイトルを含めないようにするようにしてもよい。その代わりに、ビデオに記録されているイベントを、ビデオ自体の中でＭＣまたはアナウンサーによって、または映画館１００の中ライブＭＣまたはアナウンサーによって紹介されるオンスクリーンプレゼンテーションとともにライブで上映されているかのように表示する。
【００５２】
本発明に係る一実施の形態では、観客との一定レベルの対話性を実現でき都合がよい。制御システム（図に示されていない）は、観客からの騒音または拍手を監視するように構成できる。例えば、観客が事前記録パフォーマンスの終わりに所定の騒音レベル以上の大きな音で、または長時間にわたって拍手喝さいした場合、制御システムはコマンドをストレージシステム４２５に送り、１つまたは複数の事前記録アンコールを再生する。アンコールの回数は、拍手の音の大きさまたは長さに関係付けることができる。別の実施の形態では、観客が録画された上演とともに歌を歌うなどして、上映中に大きな雑音を立てるような場合は、スピーカ２２５の音量を調整する、つまり大きくするように制御システムを構成し、バックグランドの雑音を補正することができる。
図５は、本発明の一実施の形態に係るトンネルシステム５００を示すブロック図である。トンネルシステム５００は、記録されたオリジナルのディジタルオーディオストリームを、劇場効果用の機器４５０を制御するコード、例えば、照明データまたはキューなどとともに追加、挿入または記録するために使用されるシステムである。つまり、トンネルシステム５００は、エンターテイメント経験を高めるために、照明データなど標準オーディオ技術学会（ＡＥＳ）／ヨーロッパ放送連合（ＥＢＵ）オーディオチャネルにコードを保持させるのに使用されるシステムを備えている。したがって、コードは通常、ディジタルオーディオストリームのオーディオ部分またはトラック上に設定される。
【００５３】
トンネルシステム５００を使用することで、エンターテイメントデザイナーはさまざまなコードをディジタルオーディオストリームに組み込み、追加シーン、プロップス、特殊効果、照明、サウンドおよび音楽を映画館１００に提供する。それにより、それぞれのパフォーマンスを一意的にデザインすることができる。一実施の形態では、Ｗｈｏｌｅ  Ｈｏｇ  ＩＩなどの照明制御コンソール５０５を使用することにより、エンターテイメントデザイナーは、照明キューをディジタルオーディオストリームに同時に挿入しながらオリジナルのアナログまたはディジタルオーディオおよびビデオストリームを視聴することができる。したがって、照明キューがディジタルオーディオストリームに追加され、人間が上演中のライトの動き、色、強さおよびタイミングを制御しなくても、ＡＥＳディジタルオーディオストリームを映画館１００で再生することができる。さらに、ＡＥＳディジタルオーディオストリームでは、人間がパフォーマンスのオーディオおよびビデオとライトを同期させる必要がない。
【００５４】
トンネルシステム５００は、通常、プロダクションスタジオ（映画館のフルサイズの複製）に配置され、ＡＥＳディジタルオーディオストリームを作成するために使用される、エンコーダ５００ａと、すべての映画館１００内に通常配置され、ＡＥＳディジタルオーディオストリームを再生するために使用される、デコーダ５００ｂとを備えている。エンコーダ５００ａは、ＤＭＸ入力５１０、レベルシフタ５１５、ユニバーサル非同期受信機および送信機（ＵＡＲＴ）５２０、ディジタルシグナルプロセッサ（ＤＳＰ）５２５、ＡＥＳフォーマッタ５３０、トランスフォーマ５３５、ＡＥＳ出力５４０、およびＤＭＸスルーアウトプット５４５を備えている。エンコーダ５００ａは、組込モジュールまたはＤＭＸ−ＡＥＳエンコーダとも呼ばれる。デコーダ５００ｂは、ＡＥＳ入力５５０、ＵＡＲＴ５２０、ＤＳＰ５２５、ＡＥＳフォーマッタ５３０、レベルシフタ５５５およびＤＭＸ出力５６０を備えている。デコーダ５００ｂは、ＡＥＳ−ＤＭＸデコーダとも呼ばれる。
【００５５】
図６は、ＤＭＸ入力５１０、レベルシフタ５１５、ＵＡＲＴ５２０、ＤＭＸスルーアウトプット５４５、レベルシフタ５５５およびＤＭＸ出力５６０の接続およびレイアウトを示す配線図である。一実施の形態では、レベルシフタ５１５、５５５は、Ｌｉｎｅａｒ  Ｔｅｃｈｎｏｌｏｇｉｅｓ社製のモデル番号ＬＴＣ１４８７である。ＵＡＲＴ５２０は、Ｔｅｘａｓ  Ｉｎｓｔｒｕｍｅｎｔｓ製のモデル番号ＴＬ１６Ｃ５５２ＡＦＮである。当業者であれば、本発明に係る技術的思想および範囲を逸脱することなく、他の類似のレベルシフタおよびＵＡＲＴを使用できることを理解するであろう。
【００５６】
図７は、ＤＳＰ５２５の接続およびレイアウトを示す配線図である。一実施の形態では、ＤＳＰ５２５は、Ｔｅｘａｓ  Ｉｎｓｔｒｕｍｅｎｔｓ社製のモデル番号ＴＭＳ３２０ＶＣ３３である。当業者であれば、本発明に係る技術的思想および範囲を逸脱することなく他の類似のＤＳＰを使用できることを理解するであろう。
【００５７】
図８は、ＡＥＳフォーマッタ５３０およびトランスフォーマ５３５の接続およびレイアウトを示す配線図である。一実施の形態では、ＡＥＳフォーマッタ５３０は、Ｃｉｒｒｕｓ  Ｌｏｇｉｃ製のモデル番号ＣＳ８４２０Ｊである。トランスフォーマ５３５は、Ｐｕｌｓｅ  Ｅｎｇｉｎｅｅｒｉｎｇ製のモデル番号ＰＥ６５６１２である。当業者であれば、本発明に係る技術的思想および範囲を逸脱することなく、他の類似のフォーマッタおよびトランスフォーマを使用できることを理解するであろう。
【００５８】
図５〜８に示したように、エンコーダ５００ａおよびデコーダ５００ｂは、同じ回路コンポーネントの一部または全部を利用し、より堅牢な設計とすることができる。
【００５９】
図９は、ＤＭＸ／ＡＥＳエンコーダの動作を示す簡略化したフローチャートであり、図１０は、ＡＥＳ／ＤＭＸデコーダの動作を示す簡略化したフローチャートである。図５を説明する際に図９および１０を参照する。
【００６０】
図５に戻ると、ＤＭＸ入力５１０は、照明制御コンソール５０５に接続されている。ＤＭＸコードを元のＡＥＳ／ＥＢＵビデオに追加するのを始めるために、ディジタルビデオストリームの再生中に、エンターテイメントデザイナーは、照明制御コンソール５０５を使用して、ディジタルオーディオストリームに入れるコードおよびその時期を選択する。例えば、ディジタルビデオストリームを照明制御コンソール５０５で再生しているときに、エンターテイメントデザイナーは、ディジタルオーディオストリームに格納するコードを選択する。それぞれのコードは、機器４５０によって実行される１つまたは複数の動作を表す。コードは、照明制御コンソール５０５に格納される。ＤＭＸ入力５１０は、ＤＭＸコードまたはデータ（ステップ９０５）を含むディジタルオーディオストリームを受信するように構成される。したがって、コードの記録はディジタルビデオストリームと同期している。
【００６１】
ＤＭＸスルーアウトプット５４５は、プロダクションスタジオ内の機器に接続され、エンターテイメントデザイナーによって作成された効果を表示し、感じ取り、聴くことができる。プロダクションスタジオ内の機器は、映画館１００内の機器に似ており、エンターテイメントデザイナーは、作成された効果に関する写実的でリアルタイムの表現を得ることができる。例えば、ビデオの開始時に一方の赤色のライトをオンに選択した場合、エンターテイメントデザイナーは、選択後にプロダクションスタジオ内でオンになっている赤色のライトを見ることができる。
【００６２】
コードがディジタルオーディオストリーム内に挿入された後、レベルシフタ５１５はディジタルオーディオストリームを受信し、そのディジタルオーディオストリームをトランジスタ−トランジスタ論理（ＴＴＬ）レベル（ステップ９１０）にシフトする。ＵＡＲＴ５２０は、ディジタルオーディオストリームをフォーマットまたは解析して、ほぼ等しいサイズの複数のパケットに分けるように構成される（ステップ９１５）。
【００６３】
ＤＳＰ５２５は、複数のパケットを、ＵＡＲＴ５２０に要求し、ＵＡＲＴ５２０から受信する。ＤＳＰ５２５は、さらに、複数のパケットをＡＥＳディジタルオーディオストリームに挿入して、ＤＭＸコードを含む符号化されたデータストリームを出力するように構成される（ステップ９２０）。ＤＭＸコード毎に、ＤＳＰ５２５は巡回冗長検査（ＣＲＣ）コードを作成し、そのＣＲＣコードを複数のパケットにマージする。したがって、多数のコードが複数のパケットのそれぞれに埋め込まれる。
【００６４】
ＤＳＰ５２５はさらに、事前プログラムされたシーン、プロップス、特殊効果、照明、サウンド、および音楽を表す複数のＤＭＸコードを格納するように構成される。したがって、ＵＡＲＴ５２０からコードを受け取らずに、ＤＳＰ５２５がメモリから事前にプログラムされた複数のコードを取り出し、ＣＲＣコードを作成し、ＣＲＣコードを複数のパケットにマージすることができる。一実施の形態では、ＤＳＰ５２５は、機器の事前プログラムされたテストを表す複数の事前プログラムテストコードを格納するように構成される。事前プログラムテストコードは、機器４５０が動作し正しく機能するように映画館１００内で機器４５０が動作するように命令を下すコードを提供する。
【００６５】
さらに、ＤＳＰ５２５は、それぞれの映画館の複数のスケーラＤＭＸコードを格納するように構成される。例えば、スケーラＤＭＸコードは、それぞれの照明の動く範囲、それぞれの照明の最大強度、スピーカ２２５の最大音量、それぞれの霧発送装置から霧がまき散らされる最高速度などを含むことができる。スケーラを使用することで、ＤＳＰ５２５は、コードが指定されたパラメータの範囲内にあるかどうかを確認し、もしなければ、ＤＳＰ５２５はそれに応じてコードを調整することができる。
【００６６】
ＡＥＳフォーマッタ５３０は、符号化されたデータストリームを不平衡ＡＥＳディジタルオーディオストリームにシフトするように構成される（ステップ９２５）。ＡＥＳフォーマッタ５３０はさらに、ＡＥＳディジタルオーディオストリームを生成するか、またはＡＥＳ入力ポート５５０からＡＥＳディジタルオーディオストリームを受け取るように構成される。ＡＥＳ入力ポートから導かれるＡＥＳワードクロック信号をＡＥＳフォーマッタ５３０に送り、ＡＥＳフォーマッタ５３０の出力と同期させることができる。トランスフォーマ５３５は、不平衡ＡＥＳディジタルオーディオストリームを平衡ＡＥＳディジタルオーディオストリームに変換するように構成される（ステップ９３０）。
【００６７】
少なくとも１つのＣＲＣコードおよびＤＭＸコードを含むＡＥＳディジタルオーディオストリームが作成された後、それぞれの映画館１００では、ＡＥＳ／ＤＭＸデコーダ５００ｂを使用してＡＥＳディジタルオーディオストリームからＤＭＸコードを復号化することができる。ＡＥＳディジタルオーディオストリームは、それぞれの映画館１００に配置されているサーバに格納することができる。サーバは、ＡＥＳ／ＤＭＸデコーダ５００ｂのＡＥＳ入力ポート５５０に接続されているＡＥＳディジタルオーディオストリームの出力を備えている。ＡＥＳ入力５５０は、ＡＥＳフォーマッタ５３０に接続されており、ＣＲＣコードおよびＤＭＸデータを含むＡＥＳディジタルオーディオストリームを受信するように構成される（ステップ１００５）。
【００６８】
ＡＥＳフォーマッタ５３０は、さらに、ＡＥＳディジタルオーディオストリームが有効なＡＥＳストリームであることを確認し、ＡＥＳディジタルオーディオストリームをＴＴＬレベルに変換するように構成されている。それ以降、ＡＥＳフォーマッタ５３０は、ＡＥＳディジタルオーディオストリームをＤＳＰ５２５に送る。
【００６９】
ＤＳＰ５２５は、ＡＥＳディジタルオーディオストリームを受け取り、ＣＲＣコードが有効かどうか判別するように構成される（ステップ１０１０）。ＣＲＣコードの妥当性を判別することにより、ＡＥＳディジタルオーディオストリーム内のＤＭＸコードが破損していないことを確認する。ＣＲＣコードが有効であれば、ＤＳＰ５２５は、ＡＥＳディジタルオーディオストリームからＤＭＸデータを抽出する（ステップ１０１５）。ＣＲＣコードが有効でなければ、ＤＳＰ５２５は、ＤＳＰ５２５のメモリから格納済みのＤＭＸデータを取り出す（ステップ１０２０）。ＤＳＰ５２５のメモリに、予めプログラムした複数のＤＭＸコードが格納される。それぞれの予めプログラムした複数のＤＭＸコードは、特定のシーンを表す。ＤＳＰ５２５はさらに、ＲＳ２３２ケーブルに接続するように構成され、このケーブルを使用可能なコンピュータに接続して、ＤＭＸコードをＤＳＰ５２５のメモリにダウンロードすることができる。ＤＳＰ５２５はさらに、ＤＭＸコードをＵＡＲＴ５２０に送るようにも構成される（ステップ１０２５）。
【００７０】
ＵＡＲＴ５２０は、ＤＭＸコードをフォーマットするように構成され、ＤＭＸコードを特定の時刻にレベルシフタ５５５に送信する（ステップ１０３０）。レベルシフタ５５５は、フォーマットされたＤＭＸコードをＤＭＸ出力レベル（ステップ１０３５）にシフトして、ＤＭＸコードをＤＭＸ出力５６０に送信するが、これは機器４５０に接続されている（図４も参照）。ＤＭＸコードは、機器４５０に送られ、そこで、ＤＭＸコードによって表される機能およびオペレーションを実行する。
【００７１】
したがって、上述のように、本発明では、機能が高められたイベントベースの映画鑑賞体験を提供する。本発明により構成されている映画館では、ライブパフォーマンスの録画ビデオの上映を再現する際に、実際にライブイベントに出ているかのように聴衆が感じるというリアリズムと共に再生することができる。
【００７２】
本発明は、好ましいいくつかの実施の形態に関して説明してきたが、当業者にとって明白なその他の実施の形態も、本発明の技術的範囲に属する。
【図面の簡単な説明】
【００７３】
【図１】本発明の一実施の形態に係る映画館、クラブまたはホールを示す透視図である。
【図２】本発明の一実施の形態に係る映画館、クラブまたはホールを示す透視図である。
【図３】本発明の一実施の形態に係る映画館、クラブ、またはホールを示す透視図である。
【図４】本発明の一実施の形態に係るディジタルコンテンツを配布するために使用する配布システムを示すブロック図である。
【図５】本発明の一実施の形態に係るトンネルシステムを示すブロック図である。
【図６】本発明の一実施の形態に係るＤＭＸ入力、２つのレベルシフタ、ＵＡＲＴ、ＤＭＸスルーアウトプットおよびＤＭＸ出力の接続並びにレイアウトを示す配線図である。
【図７】本発明の一実施の形態に係るＤＳＰの接続およびレイアウトを示す配線図である。
【図８】本発明の一実施の形態に係るＡＥＳフォーマッタおよびトランスフォーマの接続並びにレイアウトを示す配線図である。
【図９】本発明の一実施の形態に係る図５に示したＤＭＸ／ＡＥＳエンコーダの動作を簡略化して示すフローチャートである。
【図１０】本発明の一実施の形態に係る図５に示したＡＥＳ／ＤＭＸデコーダの動作を簡略化して示すフローチャートである。
【図１】
2004523309.tif 000002
【図２】
2004523309.tif 000003
【図３】
2004523309.tif 000004
【図４】
2004523309.tif 000005
【図５】
2004523309.tif 000006
【図６】
2004523309.tif 000007
【図７】
2004523309.tif 000008
【図８】
2004523309.tif 000009
【図９】
2004523309.tif 000010
【図１０】
2004523309.tif 000011
【国際公開パンフレット】
2004523309.tif 000012
2004523309.tif 000013
2004523309.tif 000014
2004523309.tif 000015
2004523309.tif 000016
2004523309.tif 000017
2004523309.tif 000018
2004523309.tif 000019
2004523309.tif 000020
2004523309.tif 000021
2004523309.tif 000022
2004523309.tif 000023
2004523309.tif 000024
2004523309.tif 000025
2004523309.tif 000026
2004523309.tif 000027
2004523309.tif 000028
2004523309.tif 000029
2004523309.tif 000030
2004523309.tif 000031
2004523309.tif 000032
2004523309.tif 000033
2004523309.tif 000034
2004523309.tif 000035
2004523309.tif 000036
2004523309.tif 000037
2004523309.tif 000038
2004523309.tif 000039
2004523309.tif 000040
2004523309.tif 000041
【国際公開パンフレット（コレクトバージョン）】
2004523309.tif 000042
【国際調査報告】
2004523309.tif 000043